(57)【要約】【課題】基地局装置から移動局装置に送信された信号の受信時間間隔を柔軟に変更することができる移動局装置、基地局装置、通信システム、プログラム及び通信方法を提供する。【解決手段】基地局装置と通信する移動局装置であって、基地局装置から移動局装置に送信される情報の受信時間間隔を記憶する受信時間間隔記憶部と、受信時間間隔を第１の時間だけ変更するか第１の時間より長い第２の時間だけ変更するかについての基地局装置での決定結果を基地局装置から受信する決定結果受信部と、決定結果受信部が受信した決定結果に基づいて受信時間間隔記憶部が記憶している受信時間間隔を変更する受信時間間隔変更部とを備える。【選択図】図６
2008306267.tif 000002
【特許請求の範囲】
【請求項１】
基地局装置と通信する移動局装置であって、
前記基地局装置から前記移動局装置に送信される情報の受信時間間隔を記憶する受信時間間隔記憶部と、
前記受信時間間隔を第１の時間だけ変更するか前記第１の時間より長い第２の時間だけ変更するかについての前記基地局装置での決定結果を前記基地局装置から受信する決定結果受信部と、
前記決定結果受信部が受信した決定結果に基づいて前記受信時間間隔記憶部が記憶している受信時間間隔を変更する受信時間間隔変更部と、
を備えることを特徴とする移動局装置。
【請求項２】
移動局装置と通信する基地局装置であって、
前記基地局装置から前記移動局装置に送信される情報の受信時間間隔を第１の時間だけ変更することを決定する第１の変更決定部と、
前記受信時間間隔を前記第１の時間より長い第２の時間だけ変更することを決定する第２の変更決定部と、
前記第１の変更決定部又は前記第２の変更決定部の決定結果を前記移動局装置に送信する決定結果送信部と、
を備えることを特徴とする基地局装置。
【請求項３】
移動局装置と基地局装置とを備える通信システムであって、
前記基地局装置は、
前記基地局装置から前記移動局装置に送信される情報の受信時間間隔を第１の時間だけ変更することを決定する第１の変更決定部と、
前記受信時間間隔を前記第１の時間より長い第２の時間だけ変更することを決定する第２の変更決定部と、
前記第１の変更決定部又は前記第２の変更決定部の決定結果を前記移動局装置に送信する決定結果送信部とを備え、
前記移動局装置は、
前記基地局装置から前記移動局装置に送信される情報の受信時間間隔を記憶する受信時間間隔記憶部と、
前記受信時間間隔を第１の時間だけ変更するか前記第１の時間より長い第２の時間だけ変更するかについての前記基地局装置での決定結果を前記基地局装置から受信する決定結果受信部と、
前記決定結果受信部が受信した決定結果に基づいて前記受信時間間隔記憶部が記憶している受信時間間隔を変更する受信時間間隔変更部と、
を備えることを特徴とする通信システム。
【請求項４】
前記決定結果送信部は、前記第２の変更決定部の決定結果を前記決定結果送信部が送信した時刻から所定時間が経過していない場合には前記第１の変更決定部の決定結果を前記移動局装置に送信し、所定時間が経過している場合には前記第２の変更決定部の決定結果を前記移動局装置に送信することを特徴とする請求項３に記載の通信システム。
【請求項５】
前記基地局装置は、
第３の時間内に前記移動局装置宛ての情報を前記基地局装置が受信したか否かについて判定する第１の判定部を備え、
前記第１の変更決定部は、前記第３の時間内に前記移動局装置宛ての情報を前記基地局装置が受信したと前記第１の判定部が判定した場合には前記受信時間間隔を第１の時間だけ減少させることを決定し、前記第３の時間内に前記移動局装置宛ての情報を前記基地局装置が受信していないと前記第１の判定部が判定した場合には前記受信時間間隔を第１の時間だけ増加させることを決定することを特徴とする請求項３又は４に記載の通信システム。
【請求項６】
前記基地局装置は、
第４の時間内に前記移動局装置宛ての情報を前記基地局装置が受信したか否かについて判定する第２の判定部を備え、
前記第２の変更決定部は、前記第４の時間内に前記移動局装置宛ての情報を前記基地局装置が受信したと前記第２の判定部が判定した場合には前記受信時間間隔を第２の時間だけ減少させることを決定し、前記第４の時間内に前記移動局装置宛ての情報を前記基地局装置が受信していないと前記第２の判定部が判定した場合には前記受信時間間隔を第２の時間だけ増加させることを決定することを特徴とする請求項５に記載の通信システム。
【請求項７】
前記決定結果送信部は、前記第１の変更決定部の決定結果をＭＡＣシグナリングを使用して前記移動局装置に送信し、前記第２の変更決定部の決定結果をＲＲＣシグナリングを使用して前記移動局装置に送信することを特徴とする請求項３から６までのいずれかの項に記載の通信システム。
【請求項８】
前記移動局装置は、前記受信時間間隔記憶部が記憶している受信時間間隔が経過する度に前記基地局気装置から自移動局装置に送信される情報を確認した場合に、自移動局装置宛ての情報がなかったときには前記受信時間間隔で前記基地局装置から自移動局装置に送信される情報の確認を継続し、自移動局装置宛ての情報があったときには前記基地局装置との通信を開始することを特徴とする請求項３から７までのいずれかの項に記載の通信システム。
【請求項９】
基地局装置と通信する移動局装置のコンピュータを、
前記基地局装置から前記移動局装置に送信される情報の受信時間間隔を記憶する受信時間間隔記憶手段と、
前記受信時間間隔を第１の時間だけ変更するか前記第１の時間より長い第２の時間だけ変更するかについての前記基地局装置での決定結果を前記基地局装置から受信する決定結果受信手段と、
前記決定結果受信手段が受信した決定結果に基づいて前記受信時間間隔記憶手段が記憶している受信時間間隔を変更する受信時間間隔変更手段として機能させることを特徴とするプログラム。
【請求項１０】
移動局装置と通信する基地局装置のコンピュータを、
前記基地局装置から前記移動局装置に送信される情報の受信時間間隔を第１の時間だけ変更することを決定する第１の変更決定手段と、
前記受信時間間隔を前記第１の時間より長い第２の時間だけ変更することを決定する第２の変更決定手段と、
前記第１の変更決定手段又は前記第２の変更決定手段の決定結果を前記移動局装置に送信する決定結果送信手段として機能させることを特徴とするプログラム。
【請求項１１】
移動局装置と基地局装置とを用いた通信方法であって、
前記基地局装置は、
前記基地局装置から前記移動局装置に送信される情報の受信時間間隔を第１の時間だけ変更することを決定する第１の変更決定過程と、
前記受信時間間隔を前記第１の時間より長い第２の時間だけ変更することを決定する第２の変更決定過程と、
前記第１の変更決定過程又は前記第２の変更決定過程の決定結果を前記移動局装置に送信する決定結果送信過程とを実行し、
前記移動局装置は、
前記基地局装置から前記移動局装置に送信される情報の受信時間間隔を記憶する受信時間間隔記憶過程と、
前記受信時間間隔を第１の時間だけ変更するか前記第１の時間より長い第２の時間だけ変更するかについての前記基地局装置での決定結果を前記基地局装置から受信する決定結果受信過程と、
前記決定結果受信過程で受信した決定結果に基づいて前記受信時間間隔記憶過程で記憶している受信時間間隔を変更する受信時間間隔変更過程とを実行することを特徴とする通信方法。
【発明の詳細な説明】
【技術分野】
【０００１】
本発明は、移動局装置、基地局装置、通信システム、プログラム及び通信方法に関する。
【背景技術】
【０００２】
第３世代セルラー移動通信の一方式として、国際的な標準化プロジェクトである３ＧＰＰ（3rd Generation Partnership Project）において標準化されたＷ−ＣＤＭＡ（Wideband Code Division Multiple Access：広帯域符号分割多元接続）方式の通信規格があり、同規格による携帯電話サービスが順次各国で開始されている。
３ＧＰＰではまた、このような第３世代無線システムの新たな規格として、ＥＵＴＲＡ（Evolved Universal Terrestrial Radio Access）やＥＵＴＲＡＮ（Evolved Universal Terrestrial Radio Access Network）と称する通信技術の検討が行われている。
【０００３】
ＥＵＴＲＡにおいては、現在、移動局装置の状態としては、デタッチ（Detached）状態、アイドル（Idle）状態、アクティブ（Active）状態という３つの状態が想定されている。
デタッチ状態とは、移動局装置の電源オン直後、あるいは、異なるＲＡＴ（Radio Access Technology：無線アクセス技術）への遷移直後などの理由で、基地局装置が移動局装置の存在を認識していない状態である。
アイドル状態とは、基地局装置は移動局装置の存在を認識しているが、データ通信は行われず、基地局装置は着信のための最低限の下り資源（リソース）を移動局装置に割当て、移動局装置は割当てられた資源を間欠受信している状態である。
アクティブ状態とは、基地局装置は移動局装置の存在を認識し、かつ基地局装置と移動局装置とでデータ通信が行われている状態である。
【０００４】
移動局装置のアクティブ状態には、通信モード（ＴＸ／ＲＸモード）や、間欠送受信モード（ＤＴＸ／ＤＲＸモード）などがある。
通信モードとは、移動局装置が、基地局装置との間で連続的に通信している状態である。
また、間欠送受信モードとは、連続的にデータの送受信を行っているわけではなく、一定の時間間隔を置いて、通信を行っている状態である。間欠送受信モードは、例えば、移動局装置がＷｅｂブラウズを行っている状態である。
【０００５】
ＤＲＸ（Discontinuous Reception：間欠受信）サイクルの制御方法については、ＲＲＣ（Radio Resource Control：無線リソース制御）シグナリングを用いる方法（非特許文献１参照）が提案されている。
非特許文献１に記載の方式は、図９に示されるように、２種類のＤＲＸサイクル（ＤＲＸサイクルＣ１およびＤＲＸサイクルＣ２）の初期値、最大値および増加幅（これらをＤＲＸ制御パラメータと呼ぶこととする）を設定することでＤＲＸサイクルを制御する方式である。なお、図９の横軸は時間を示している。
【０００６】
例えば、基地局装置は、ある移動局装置のＤＲＸサイクルとして、ＤＲＸサイクルＣ１とＤＲＸサイクルＣ２の初期値をそれぞれ１秒、１００ミリ秒とし、最大値をそれぞれ１０秒、１秒とし、増加幅をそれぞれ２倍と設定したとする。これらＤＲＸサイクル制御のための各パラメータは、初期接続時に、基地局装置の無線リソース制御部によって生成されるＲＲＣシグナリングを通じて移動局装置に通知される。
【０００７】
移動局装置が、ある段階でＤＲＸに入った場合、移動局装置のＤＲＸサイクルＣ１、ＤＲＸサイクルＣ２の値はそれぞれ１秒、１００ミリ秒と設定される。そして移動局装置は、ｏｎ  ｄｕｒａｔｉｏｎ中（図９の斜線で囲まれた区間）だけ、自局宛にＤＬ（DownLink）データが到着しているかを監視する。自局宛にＤＬデータが到着していない場合は、次のｏｎ  ｄｕｒａｔｉｏｎまで監視しない。逆に自局宛にＤＬデータが到着した場合は、ＤＲＸからｎｏｎ−ＤＲＸに状態遷移し、通信状態となる。
【０００８】
この作業を繰り返し行った後、ＤＲＸサイクルＣ１である１秒までの間、自局宛のＤＬデータが到着しなかった場合、ＤＲＸサイクルＣ１およびＤＲＸサイクルＣ２を自律的に予め決められた増加幅分だけ増加する。すなわち、ＤＲＸサイクルＣ１は２秒となり、ＤＲＸサイクルＣ２は２００ミリ秒と設定される。
この後も移動局装置は、ｏｎ  ｄｕｒａｔｉｏｎの期間だけ、自局宛のＤＬデータが到着しているかを監視する作業を繰り返す。そして、ＤＲＸサイクルＣ１の値が最大値の１０秒、ＤＲＸサイクルＣ２の値も最大値１秒となった後も、自局宛にＤＬデータが到着しない場合は、ＤＲＸサイクルＣ１とＤＲＸサイクルＣ２の値を最大値のまま維持する。
前記非特許文献１に記載のＤＲＸサイクル制御方式は、以上のような制御方式である。
【０００９】
そのため、前記非特許文献１に記載のＤＲＸサイクル制御方式では、初期接続時にのみＤＲＸサイクル制御パラメータを通知し、それ以外では通知をしないため、ＤＲＸサイクルの柔軟な変更は不可能であり、例えば、ＤＬデータの到着状況に応じて、ＤＲＸサイクル値を柔軟に制御することはできなかった。
【００１０】
一方、基地局装置から移動局装置へ送られる制御信号には、ＲＲＣシグナリング（Ｌ３層の制御信号）とＭＡＣ（Ｍｅｄｉｕｍ  Ａｃｃｅｓｓ  Ｃｏｎｔｒｏｌ）シグナリング（Ｌ２層の制御信号）がある。ＲＲＣシグナリング（Ｌ３層の信号）は、ＭＡＣシグナリング（Ｌ２層の信号）に比べて、送信できる情報量が多く、誤りに強いものの、頻繁には送信しないシグナリングである。逆に、ＭＡＣシグナリングは、ＲＲＣシグナリングに比べて、送信できる情報量は少ないものの、頻繁に送信することができるという特徴を有している。
【００１１】
そのため、例えば、ＲＲＣシグナリングを送信することで、ＤＲＸサイクル制御パラメータの変更を通知するには限度がある。すなわち、ＤＬデータの到着状況に応じて、ＤＲＸサイクルを柔軟に制御することはできなかった。
【非特許文献１】Ｒ２−０７０７７３  “ＤＲＸ  ｏｐｅｒａｔｉｏｎ  ｉｎ  ＬＴＥ＿ＡＣＴＩＶＥ  ｓｔａｔｅ”  ３ＧＰＰ  ＴＳＧ  ＲＡＮ  ＷＧ２  ＃５７  ｏｎ  ＬＴＥ  Ｓａｉｎｔ−Ｌｏｕｉｓ，  ＵＳＡ
【発明の開示】
【発明が解決しようとする課題】
【００１２】
本発明は、上記事情に鑑みてなされたものであり、基地局装置から移動局装置に送信された信号の受信時間間隔を柔軟に変更することができる移動局装置、基地局装置、通信システム、プログラム及び通信方法を提供することにある。
【課題を解決するための手段】
【００１３】
（１）  本発明は、上記課題を解決するためになされたもので、本発明の一態様による移動局装置は、基地局装置と通信する移動局装置であって、前記基地局装置から前記移動局装置に送信される情報の受信時間間隔を記憶する受信時間間隔記憶部と、前記受信時間間隔を第１の時間だけ変更するか前記第１の時間より長い第２の時間だけ変更するかについての前記基地局装置での決定結果を前記基地局装置から受信する決定結果受信部と、前記決定結果受信部が受信した決定結果に基づいて前記受信時間間隔記憶部が記憶している受信時間間隔を変更する受信時間間隔変更部とを備える。
本発明では、基地局装置から移動局装置に送信される変更結果に基づいて、基地局装置から移動局装置に送信される情報の受信時間間隔を、受信時間間隔変更部が変更するため、受信時間間隔を状況に応じて柔軟に変更することができる。
【００１４】
（２）  また、本発明の一態様による基地局装置は、移動局装置と通信する基地局装置であって、前記基地局装置から前記移動局装置に送信される情報の受信時間間隔を第１の時間だけ変更することを決定する第１の変更決定部と、前記受信時間間隔を前記第１の時間より長い第２の時間だけ変更することを決定する第２の変更決定部と、前記第１の変更決定部又は前記第２の変更決定部の決定結果を前記移動局装置に送信する決定結果送信部とを備える。
本発明では、第１の時間、又は、第１の時間よりも長い第２の時間を決定結果送信部が決定結果として基地局装置から移動局装置に送信し、その決定結果に基づいて移動局装置が、受信時間間隔を第１の時間又は第２の時間だけ変更するため、受信時間間隔を状況に応じて柔軟に変更することができる。
【００１５】
（３）  また、本発明の一態様による通信システムは、移動局装置と基地局装置とを備える通信システムであって、前記基地局装置は、前記基地局装置から前記移動局装置に送信される情報の受信時間間隔を第１の時間だけ変更することを決定する第１の変更決定部と、前記受信時間間隔を前記第１の時間より長い第２の時間だけ変更することを決定する第２の変更決定部と、前記第１の変更決定部又は前記第２の変更決定部の決定結果を前記移動局装置に送信する決定結果送信部とを備え、前記移動局装置は、前記基地局装置から前記移動局装置に送信される情報の受信時間間隔を記憶する受信時間間隔記憶部と、前記受信時間間隔を第１の時間だけ変更するか前記第１の時間より長い第２の時間だけ変更するかについての前記基地局装置での決定結果を前記基地局装置から受信する決定結果受信部と、前記決定結果受信部が受信した決定結果に基づいて前記受信時間間隔記憶部が記憶している受信時間間隔を変更する受信時間間隔変更部とを備える。
本発明では、第１の時間、又は、第１の時間よりも長い第２の時間を決定結果送信部が基地局装置から移動局装置に決定結果として送信し、その決定結果に基づいて、受信時間間隔を受信時間間隔変更部が変更するため、受信時間間隔を状況に応じて柔軟に変更することができる。
【００１６】
（４）  また、本発明の一態様による通信システムの前記決定結果送信部は、前記第２の変更決定部の決定結果を前記決定結果送信部が送信した時刻から所定時間が経過していない場合には前記第１の変更決定部の決定結果を前記移動局装置に送信し、所定時間が経過している場合には前記第２の変更決定部の決定結果を前記移動局装置に送信する。
本発明では、受信時間間隔を第２の時間だけ変更する処理が、前回の処理から所定時間経過した場合でなければ行うことができない場合に、所定時間が経過する前には受信時間間隔を第１の時間により小幅に変更し、所定時間が経過した後には受信時間間隔を第２の時間により大幅に変更することができるため、受信時間間隔を状況に応じて柔軟に変更することができる。
【００１７】
（５）  また、本発明の一態様による通信システムの前記基地局装置は、第３の時間内に前記移動局装置宛ての情報を前記基地局装置が受信したか否かについて判定する第１の判定部を備え、前記第１の変更決定部は、前記第３の時間内に前記移動局装置宛ての情報を前記基地局装置が受信したと前記第１の判定部が判定した場合には前記受信時間間隔を第１の時間だけ減少させることを決定し、前記第３の時間内に前記移動局装置宛ての情報を前記基地局装置が受信していないと前記第１の判定部が判定した場合には前記受信時間間隔を第１の時間だけ増加させることを決定する。
本発明では、第３の時間内に移動局装置宛ての情報を基地局装置が受信している場合、つまり、移動局装置と基地局装置との通信量が多い場合には、基地局装置が移動局装置に受信時間間隔を第１の時間だけ減少させることを変更結果として送信することにより、基地局装置から送信される信号の移動局装置における受信頻度を小幅に増加させることができる。
また、第３の時間内に移動局装置宛ての情報を基地局装置が受信していない場合、つまり、移動局装置と基地局装置との通信量が少ない場合には、基地局装置が移動局装置に受信時間間隔を第１の時間だけ増加させることを変更結果として送信することにより、基地局装置から送信される信号の移動局装置における受信頻度を小幅に減少させることができる。
【００１８】
（６）  また、本発明の一態様による通信システムの前記基地局装置は、第４の時間内に前記移動局装置宛ての情報を前記基地局装置が受信したか否かについて判定する第２の判定部を備え、前記第２の変更決定部は、前記第４の時間内に前記移動局装置宛ての情報を前記基地局装置が受信したと前記第２の判定部が判定した場合には前記受信時間間隔を第２の時間だけ減少させることを決定し、前記第４の時間内に前記移動局装置宛ての情報を前記基地局装置が受信していないと前記第２の判定部が判定した場合には前記受信時間間隔を第２の時間だけ増加させることを決定する。
本発明では、第４の時間内に移動局装置宛ての情報を基地局装置が受信している場合、つまり、移動局装置と基地局装置との通信量が多い場合には、基地局装置が移動局装置に受信時間間隔を第２の時間だけ減少させることを変更結果として送信することにより、基地局装置から送信される信号の移動局装置における受信頻度を大幅に増加させることができる。
また、第４の時間内に移動局装置宛ての情報を基地局装置が受信していない場合、つまり、移動局装置と基地局装置との通信量が少ない場合には、基地局装置が移動局装置に受信時間間隔を第２の時間だけ増加させることを変更結果として送信することにより、基地局装置から送信される信号の移動局装置における受信頻度を大幅に減少させることができる。
【００１９】
（７）  また、本発明の一態様による通信システムの前記決定結果送信部は、前記第１の変更決定部の決定結果をＭＡＣシグナリングを使用して前記移動局装置に送信し、前記第２の変更決定部の決定結果をＲＲＣシグナリングを使用して前記移動局装置に送信する。
本発明では、ＲＲＣシグナリングとＭＡＣシグナリングを併用することで、基地局装置が受信した移動局装置宛ての情報の受信状態に応じて、ＤＲＸサイクル値を柔軟に変更することができる。
【００２０】
（８）  また、本発明の一態様による通信システムの前記移動局装置は、前記受信時間間隔記憶部が記憶している受信時間間隔が経過する度に前記基地局気装置から自移動局装置に送信される情報を確認した場合に、自移動局装置宛ての情報がなかったときには前記受信時間間隔で前記基地局装置から自移動局装置に送信される情報の確認を継続し、自移動局装置宛ての情報があったときには前記基地局装置との通信を開始する。
【００２１】
（９）  また、本発明の一態様によるプログラムは、基地局装置と通信する移動局装置のコンピュータを、前記基地局装置から前記移動局装置に送信される情報の受信時間間隔を記憶する受信時間間隔記憶手段と、前記受信時間間隔を第１の時間だけ変更するか前記第１の時間より長い第２の時間だけ変更するかについての前記基地局装置での決定結果を前記基地局装置から受信する決定結果受信手段と、前記決定結果受信手段が受信した決定結果に基づいて前記受信時間間隔記憶手段が記憶している受信時間間隔を変更する受信時間間隔変更手段として機能させる。
【００２２】
（１０）  また、本発明の一態様によるプログラムは、移動局装置と通信する基地局装置のコンピュータを、前記基地局装置から前記移動局装置に送信される情報の受信時間間隔を第１の時間だけ変更することを決定する第１の変更決定手段と、前記受信時間間隔を前記第１の時間より長い第２の時間だけ変更することを決定する第２の変更決定手段と、前記第１の変更決定手段又は前記第２の変更決定手段の決定結果を前記移動局装置に送信する決定結果送信手段として機能させる。
【００２３】
（１１）  また、本発明の一態様による通信方法は、移動局装置と基地局装置とを用いた通信方法であって、前記基地局装置は、前記基地局装置から前記移動局装置に送信される情報の受信時間間隔を第１の時間だけ変更することを決定する第１の変更決定過程と、前記受信時間間隔を前記第１の時間より長い第２の時間だけ変更することを決定する第２の変更決定過程と、前記第１の変更決定過程又は前記第２の変更決定過程の決定結果を前記移動局装置に送信する決定結果送信過程とを実行し、前記移動局装置は、前記基地局装置から前記移動局装置に送信される情報の受信時間間隔を記憶する受信時間間隔記憶過程と、前記受信時間間隔を第１の時間だけ変更するか前記第１の時間より長い第２の時間だけ変更するかについての前記基地局装置での決定結果を前記基地局装置から受信する決定結果受信過程と、前記決定結果受信過程で受信した決定結果に基づいて前記受信時間間隔記憶過程で記憶している受信時間間隔を変更する受信時間間隔変更過程とを実行する。
【発明の効果】
【００２４】
本発明では、基地局装置から移動局装置に送信された信号の受信時間間隔を柔軟に変更することができる。
【発明を実施するための最良の形態】
【００２５】
以下、図面を参照し、本発明の実施形態について説明する。
本発明の実施形態による通信システムは、基地局装置１００と移動局装置２００とを備えている。
【００２６】
図１は、本発明の実施形態による基地局装置１００の構成を示す概略ブロック図である。この基地局装置１００は、データ制御部１０１、データ変調部１０２、ＯＦＤＭ変調部１０３、無線部１０４（決定結果送信部とも称する）、チャネル推定部１０５、ＤＦＴ−Ｓ−ＯＦＤＭ（DFT - spread - OFDM）復調部１０６、データ復調部１０７、制御データ抽出部１０８、スケジューリング部１０９、無線リソース制御部１１０、アンテナ１１１を備えている。
【００２７】
データ制御部１０１には、各移動局装置宛ての送信データ（ユーザデータ）Ｄ１、Ｄ２、Ｄ３、・・・と、制御データとが入力される。データ制御部１０１は、スケジューリング部１０９の制御に基づいて、制御データを共通制御チャネル（ＣＣＰＣＨ：Common Control Physical Channel）、同期チャネル（ＳＣＨ：Synchronization Channel）、ページングチャネル（ＰＣＨ：Paging Channel）、下りリンクパイロットチャネル（ＤＰＩＣＨ：Downlink Pilot Channel）、下りリンク共用制御チャネル（ＰＳＣＣＨ：Physical Shared Control Channel）にマッピングし、データ変調部１０２に出力する。
また、データ制御部１０１は、ユーザデータを下りリンク共用データチャネル（ＰＤＳＣＨ：Physical Downlink Shared Channel）にマッピングし、データ変調部１０２に出力する。
【００２８】
データ変調部１０２は、データ制御部１０１が出力する各チャネルのデータを、スケジューリング部１０９が出力するＭＣＳ（Modulation and Coding Scheme）情報のデータ変調方式と符号化方式とに基づいてデータ変調し、ＯＦＤＭ（Orthogonal Frequency Division Multiplexing：直交周波数分割多重）変調部１０３に出力する。
ＯＦＤＭ変調部１０３は、データ変調部１０２が出力する信号に対して、直列／並列変換、逆高速フーリエ変換（ＩＦＦＴ：Inverse Fast Fourier Transform）の処理、サイクリック・プレフィックス（ＣＰ：Cyclic Prefix）の挿入、フィルタリングなどのＯＦＤＭ信号処理を施してＯＦＤＭ信号を生成し、無線部１０４に出力する。
【００２９】
無線部１０４は、ＯＦＤＭ変調部１０３が出力するデータを無線周波数にアップコンバートして、アンテナ１１１を介して移動局装置２００へ下りリンクで送信する。また、無線部１０４は、上りリンクについては、移動局装置２００からアンテナ１１１を介してデータを受信すると、ベースバンド信号にダウンコンバートしてチャネル推定部１０５とＤＦＴ−Ｓ−ＯＦＤＭ復調部１０６とに出力する。なお、無線部１０４は、ＲＲＣレベルＤＲＸ制御部１１０１の決定結果、又は、ＭＡＣレベルＤＲＸ制御部１０９１の決定結果を、アンテナ１１１を介して、移動局装置２００に送信する。
【００３０】
チャネル推定部１０５は、無線部１０４が出力するデータに含まれる上りパイロット信号から基地局装置１００と移動局装置２００との間の無線伝搬路特性を推定し、その推定結果をＤＦＴ−Ｓ−ＯＦＤＭ復調部１０６とスケジューリング部１０９とに出力する。
ＤＦＴ−Ｓ−ＯＦＤＭ復調部１０６は、無線部１０４が出力する受信データに対して、フィルタリングの処理、サイクリック・プレフィックスの除去の処理、離散フーリエ変換（ＤＦＴ：Discrete Fourier Transform）の処理、逆高速フーリエ変換の処理を施し、チャネル推定部１０５が出力する無線伝搬路推定結果に基づいてＤＦＴ−Ｓ−ＯＦＤＭ復調を行い、データ復調部１０７に出力する。
【００３１】
データ復調部１０７は、ＤＦＴ−Ｓ−ＯＦＤＭ復調部１０６が出力した受信データに対して、スケジューリング部１０９によって指定された上りリンクＭＣＳ情報に従って復調し、制御データ抽出部１０８に出力する。
制御データ抽出部１０８は、データ復調部１０７が出力する受信データを、ユーザデータと制御データとに分離して上位レイヤに出力する。また、制御データ抽出部１０８は、制御データのうち下りリンクのＣＱＩ（Channel Quality Indicator）情報をスケジューリング部１０９に出力する。
【００３２】
スケジューリング部１０９は、ＭＡＣレベルＤＲＸ制御部１０９１を備えている。
ＭＡＣレベルＤＲＸ制御部１０９１は、基地局装置１００と移動局装置２００との間のＤＲＸサイクル値を制御するためにＭＡＣシグナリングを生成する。具体的には、各移動局装置２００に対する下りデータ（ＤＬデータ）の到着状況に応じて、ＤＲＸサイクル値の小幅な変更（例えば、１０ミリ秒）を行う。
なお、ＤＲＸサイクル値は、基地局装置１００から移動局装置２００に送信される情報の受信時間間隔を示している。
【００３３】
スケジューリング部１０９は、下りリンクのスケジューリングと、上りリンクのスケジューリングを行う。下りリンクのスケジューリングでは、移動局装置２００から受信したＣＱＩ情報、無線リソース制御部１１０が出力する各移動局装置の使用可能なＰＲＢ（Physical Resource Block）の情報、バッファ状況、ＲＲＣレベルＤＲＸ制御部１１０１が生成するＤＲＸサイクル値やＤＲＸレベルを含む間欠受信サイクル情報、ＭＡＣレベルＤＲＸ制御部１０９１が生成するＤＲＸサイクル値を含む間欠受信サイクル情報などの制御情報に基づいて、下りリンクの各チャネルにユーザデータをマッピングするためのスケジューリング処理、及び各データを変調するためのＭＣＳ情報の算出を行う。
【００３４】
また、スケジューリング部１０９は、上りリンクのスケジューリングでは、チャネル推定部１０５が出力する上りリンクの無線伝搬路推定結果、移動局装置２００からのリソース割当て要求、無線リソース制御部１１０が出力する各移動局装置２００の使用可能なＰＲＵ（Physical Resource Unit）の情報、バッファ状況、ＲＲＣレベルＤＲＸ制御部１１０１が生成するＤＲＸサイクル値やＤＲＸレベルを含む間欠受信サイクル情報、ＭＡＣレベルＤＲＸ制御部１０９１が生成するＤＲＸサイクル値を含む間欠受信サイクル情報などの制御情報に基づいて、上りリンクの各チャネルに移動局装置がユーザデータをマッピングするためのスケジューリング処理、及び各データを変調するためのＭＣＳ情報の算出を行う。
【００３５】
無線リソース制御部１１０は、ＲＲＣレベルＤＲＸ制御部１１０１を備えている。
ＲＲＣレベルＤＲＸ制御部１１０１は、基地局装置１００と移動局装置２００との間のＤＲＸを制御するためにＲＲＣシグナリングを生成する。具体的には、ＤＲＸレベルの通知、各移動局装置２００に対する下りデータ（ＤＬデータ）の到着状況に応じて、ＤＲＸサイクル値の大幅又は小幅な変更を行う。なお、ＲＲＣシグナリングは、Ｌ３層の制御信号である。
また、無線リソース制御部１１０は、スケジューリング部１０９に対して、各移動局装置２００の使用可能なＰＲＢ又はＰＲＵの情報、ＤＲＸサイクル値やＤＲＸレベルを含む間欠受信サイクル情報、バッファ状況などの制御情報を出力する。
【００３６】
図２は、本発明の実施形態によるＭＡＣレベルＤＲＸ制御部１０９１の構成を示す概略ブロック図である。ＭＡＣレベルＤＲＸ制御部１０９１は、第１の計時部１０９２、第１の記憶部１０９３、第１の判定部１０９４、第１の変更決定部１０９５を備えている。
第１の計時部１０９２は、基地局装置１００が備えるタイマを利用して、時間ｔ１を計測する。第１の計時部１０９２は、所定時刻からの経過時間ｔ１を計測する。本実施形態では、第１の計時部１０９２は、この所定時刻として、基地局装置１００から移動局装置２００にＤＲＸサイクル値の変更結果をＭＡＣシグナリング又はＲＲＣシグナリングを使用して前回送信した時刻を使用している。
【００３７】
第１の記憶部１０９３は、メモリを備えており、所定時間ｔ０（第３の時間とも称する）を記憶している。第１の記憶部１０９３が記憶する所定時間ｔ０は、ＭＡＣシグナリングレベルでＤＲＸサイクル値を変更するための基準となる閾値である。この所定時間ｔ０は、基地局装置１００の管理者等によって設定される。
第１の判定部１０９４は、ＣＰＵ（Central Processing Unit）の制御に基づいて処理を実行し、データ制御部１０１の状態を確認することにより、第１の記憶部１０９３が記憶している所定時間ｔ０内に、データ制御部１０１に移動局装置２００宛てのＤＬデータ（情報）を受信したか否かについて判定し、その判定結果を第１の変更決定部１０９５に出力する。
【００３８】
第１の変更決定部１０９５は、ＣＰＵの制御に基づいて処理を実行し、基地局装置１００から移動局装置２００に送信される情報の受信時間間隔であるＤＲＸサイクル値を、所定時間Ｔ１（第１の時間とも称する）だけ変更することを決定する。本実施形態では、所定時間Ｔ１を１０ミリ秒に設定している。
具体的には、第１の変更決定部１０９５は、所定時間ｔ０内に移動局装置２００宛てのＤＬデータを受信したと第１の判定部１０９４が判定した場合には、ＤＲＸサイクル値を所定時間Ｔ１だけ減少させることを決定し、所定時間ｔ０内に移動局装置２００宛てのＤＬデータを受信していないと第１の判定部１０９４が判定した場合には、ＤＲＸサイクル値を所定時間Ｔ１だけ増加させることを決定する。
【００３９】
図３は、本発明の実施形態による基地局装置１００のＭＡＣレベルＤＲＸ制御部１０９１の処理を示すフローチャートである。
始めに、基地局装置１００の管理者等の操作に基づいて、第１の記憶部１０９３に所定時間ｔ０を記録することにより、所定時間ｔ０を設定する（ステップＳ１１）。本実施形態では、所定時間ｔ０として、２０ミリ秒を設定している。なお、第１の記憶部１０９３が記憶する所定時間ｔ０は、固定値としても良いし、ステップＳ１１の処理が実行される度に毎回変更するようにしても良い。
そして、第１の計時部１０９２が計時する時間ｔ１を初期化することにより、時間ｔ１を０秒に設定する（ステップＳ１２）。
【００４０】
次に、第１の判定部１０９４は、第１の計時部１０９２が計時している時間ｔ１が、第１の記憶部１０９３が記憶している所定時間ｔ０よりも大きいか否かについて判定する（ステップＳ１３）。
時間ｔ１が時間ｔ０よりも大きい場合には、ステップＳ１３で「ＹＥＳ」と第１の判定部１０９４が判定し、ステップＳ１４に進む。
そして、第１の変更決定部１０９５は、ＤＲＸサイクル値を時間Ｔ１だけ増加させることを決定し（ステップＳ１４）、ステップＳ１１に進む。
一方、時間ｔ１が時間ｔ０以下である場合には、ステップＳ１３で「Ｎｏ」と第１の判定部１０９４が判定し、ステップＳ１５に進む。
【００４１】
そして、第１の判定部１０９４は、データ制御部１０１の状態を確認することにより、移動局装置２００宛てのＤＬデータがデータ制御部１０１に到着しているか否かについて判定する（ステップＳ１５）。ＤＬデータがデータ制御部１０１に到着していない場合には、第１の判定部１０９４がステップＳ１５で「ＮＯ」と判定し、ステップＳ１７に進む。
そして、第１の計時部１０９２は、時間ｔ１を所定時間（例えば、ステップＳ１３とステップＳ１５の処理の処理合計時間）だけカウントアップする（ステップＳ１７）。
【００４２】
一方、ＤＬデータがデータ制御部１０１に到着している場合には、第１の判定部１０９４がステップＳ１５で「ＹＥＳ」と判定し、ステップＳ１６に進む。
そして、第１の変更決定部１０９５は、ＤＲＸサイクル値を時間Ｔ１だけ減少させることを決定し（ステップＳ１６）、ステップＳ１１に進む。
【００４３】
なお、図３のフローチャートでは、時間ｔ１と時間ｔ０との関係（ステップＳ１３）に応じて、ＤＲＸサイクル値を増減させている（ステップＳ１４、Ｓ１６）場合について説明したが、これに限定されるものではない。例えば、基地局装置１００における移動局装置２００宛てのＤＬデータのバッファ量に応じて、ステップＳ１４やステップＳ１６でＤＲＸサイクル値を増減させても良い。すなわちこのとき、ステップＳ１５において行う判定方法として、データ制御部１０１に、移動局装置２００宛てのＤＬデータが一定量到着しているか否かに基づいて判定しても良い。
【００４４】
図４は、本発明の実施形態によるＲＲＣレベルＤＲＸ制御部１１０１の構成を示す概略ブロック図である。ＲＲＣレベルＤＲＸ制御部１１０１は、第２の計時部１１０２、第２の記憶部１１０３、第２の判定部１１０４、第２の変更決定部１１０５を備えている。
第２の計時部１１０２は、基地局装置１００が備えるタイマを利用して、時間ｔ３を計測する。第２の計時部１１０２は、所定時刻からの経過時間ｔ３を計測する。本実施形態では、第２の計時部１１０２は、この所定時刻として、基地局装置１００から移動局装置２００にＤＲＸサイクル値の変更結果をＲＲＣシグナリングを使用して前回送信した時刻を使用している。
【００４５】
第２の記憶部１１０３は、メモリを備えており、所定時間ｔ２（第４の時間とも称する）を記憶している。第２の記憶部１１０３が記憶する所定時間ｔ２は、ＲＲＣシグナリングレベルでＤＲＸサイクル値を変更するための基準となる閾値である。この所定時間ｔ２は、基地局装置１００の管理者等によって設定される。
第２の判定部１１０４は、ＣＰＵの制御に基づいて処理を実行し、データ制御部１０１の状態を確認することにより、第２の記憶部１１０３が記憶している所定時間ｔ２内に、データ制御部１０１に移動局装置２００宛てのＤＬデータを受信したか否かについて判定し、その判定結果を第２の変更決定部１１０５に出力する。
【００４６】
第２の変更決定部１１０５は、ＣＰＵの制御に基づいて処理を実行し、基地局装置１００から移動局装置２００に送信される情報の受信時間間隔であるＤＲＸサイクル値を、所定時間Ｔ２（第２の時間とも称する）だけ変更することを決定する。本実施形態では、所定時間Ｔ２を、所定時間Ｔ１（１０ミリ秒）よりも長い時間に設定している。
【００４７】
具体的には、第２の変更決定部１１０５は、所定時間ｔ２内に移動局装置２００宛てのＤＬデータを基地局装置１００が受信したと第２の判定部１１０４が判定した場合には、ＤＲＸサイクル値を所定時間Ｔ２（例えば、１レベル分）だけ減少させることを決定し、所定時間ｔ２内に移動局装置２００宛てのＤＬデータを基地局装置１００が受信していないと第２の判定部１１０４が判定した場合には、ＤＲＸサイクル値を所定時間Ｔ２だけ増加させることを決定する。
なお、変更後のＤＲＸサイクル値が、ＤＬデータの種類に応じた適切な値（ＶｏＩＰの場合は２０ミリ秒）となるように、Ｔ２を設定しても良い。
【００４８】
図５は、本発明の実施形態による基地局装置１００のＲＲＣレベルＤＲＸ制御部１１０１の処理を示すフローチャートである。
始めに、基地局装置１００の管理者等の操作に基づいて、第２の記憶部１１０３に所定時間ｔ２を記録することにより、所定時間ｔ２を設定する（ステップＳ２１）。本実施形態では、所定時間ｔ２として、６０ミリ秒を設定している。なお、第２の記憶部１１０３が記憶する所定時間ｔ２は、固定値としても良いし、ステップＳ２１の処理が実行される度に毎回変更するようにしても良い。
そして、第２の計時部１１０２が計時する時間ｔ３を初期化することにより、時間ｔ３を０秒に設定する（ステップＳ２２）。
【００４９】
次に、第２の判定部１１０４は、第２の計時部１１０２が計時している時間ｔ３が、第２の記憶部１１０３が記憶している所定時間ｔ２よりも大きいか否かについて判定する（ステップＳ２３）。
時間ｔ３が時間ｔ２よりも大きい場合には、ステップＳ２３で「ＹＥＳ」と第２の判定部１１０４が判定し、ステップＳ２４に進む。
そして、第２の変更決定部１１０５は、ＤＲＸサイクル値を時間Ｔ２だけ増加させることを決定し（ステップＳ２４）、ステップＳ２１に進む。
一方、時間ｔ３が時間ｔ２以下である場合には、ステップＳ２３で「Ｎｏ」と第２の判定部１１０４が判定し、ステップＳ２５に進む。
【００５０】
そして、第２の判定部１１０４は、データ制御部１０１の状態を確認することにより、移動局装置２００宛てのＤＬデータがデータ制御部１０１に到着しているか否かについて判定する（ステップＳ２５）。ＤＬデータがデータ制御部１０１に到着していない場合には、第２の判定部１１０４がステップＳ２５で「ＮＯ」と判定し、ステップＳ２７に進む。
そして、第２の計時部１１０２は、時間ｔ３を所定時間（例えば、ステップＳ２３とステップＳ２５の処理の処理合計時間）だけカウントアップする（ステップＳ２７）。
【００５１】
一方、ＤＬデータがデータ制御部１０１に到着している場合には、第２の判定部１１０４がステップＳ２５で「ＹＥＳ」と判定し、ステップＳ２６に進む。
そして、第２の変更決定部１１０５は、ＤＲＸサイクル値を時間Ｔ２だけ減少させることを決定し（ステップＳ２６）、ステップＳ２１に進む。
【００５２】
なお、本実施形態では、基地局装置１００の無線部１０４は、ＲＲＣレベルＤＲＸ制御部１１０１の決定結果を無線部１０４が送信した時刻から所定時間ｔ２が経過していない場合には、ＭＡＣレベルＤＲＸ制御部１０９１の決定結果を移動局装置２００に送信し（図３のフローチャート参照）、所定時間ｔ２が経過している場合には、ＲＲＣレベルＤＲＸ制御部１１０１の決定結果を移動局装置２００に送信する（図５のフローチャート参照）。なお、基地局装置１００で、図３のフローチャートと図５のフローチャートとを独立に実行することによって、ＭＡＣレベルＤＲＸ制御部１０９１又はＲＲＣレベルＤＲＸ制御部１１０１の決定結果を移動局装置２００に送信するようにしても良い。
【００５３】
なお、図５のフローチャートでは、時間ｔ２と時間ｔ３との関係（ステップＳ２３）に応じて、ＤＲＸレベルを増減させている（ステップＳ２４、Ｓ２６）場合について説明したが、これに限定されるものではない。例えば、基地局装置１００における移動局装置２００宛てのＤＬデータのバッファ量に応じて、ステップＳ２４やステップＳ２６でＤＲＸレベルを増減させても良い。すなわちこのとき、ステップＳ２５において行う判定方法として、データ制御部１０１に、移動局装置２００宛てのＤＬデータが一定量到着しているか否かに基づいて判定しても良い。
【００５４】
図６は、本発明の実施形態による移動局装置２００の構成を示す概略ブロック図である。この移動局装置２００は、送信部２１、受信部２２、無線部２０１（決定結果受信部とも称する）、スケジューリング部２０２、無線リソース制御部２０３、無線制御部２０４、アンテナ２０５を備えている。
【００５５】
送信部２１は、データ制御部２１１、データ変調部２１２、ＤＦＴ−Ｓ−ＯＦＤＭ変調部２１３を備えている。
受信部２２は、チャネル推定部２２１、ＯＦＤＭ復調部２２２、データ復調部２２３、制御データ抽出部２２４を備えている。
【００５６】
データ制御部２１１には、送信データ（ユーザデータ）と制御データとが入力される。データ制御部２１１は、スケジューリング部２０２の制御に基づいて、ユーザデータと制御データを上りリンクのブロック（ＰＲＵ）にマッピングし、データ変調部２１２に出力する。
【００５７】
データ変調部２１２は、データ制御部２１１が出力する各データを、スケジューリング部２０２が出力するＭＣＳ情報のデータ変調方式と符号化方式とに基づいてデータ変調し、ＤＦＴ−Ｓ−ＯＦＤＭ変調部２１３に出力する。
【００５８】
ＤＦＴ−Ｓ−ＯＦＤＭ変調部２１３は、データ変調部２１２が出力するデータに対して、直列／並列変換の処理、拡散符号及びスクランブリングコードの乗算処理、離散フーリエ変換の処理、サブキャリアマッピング処理、逆高速フーリエ変換の処理、サイクリック・プレフィックスの挿入の処理、フィルタリングの処理などを行うことによりＤＦＴ−Ｓ−ＯＦＤＭ変調処理を施し、ＤＦＴ−Ｓ−ＯＦＤＭ信号を生成し、無線部２０１に出力する。
なお、上りリンクの通信方式には、ＤＦＴ−Ｓ−ＯＦＤＭ方式以外のものを適用することも可能であり、例えば、ＶＳＣＲＦ−ＣＤＭＡ（Variable Spreading and Chip Repetition Factors - Code Division Multiple Access）方式のようなシングルキャリア方式、ＯＦＤＭ方式のようなマルチキャリア方式を適用しても良い。
【００５９】
無線部２０１は、ＤＦＴ−Ｓ−ＯＦＤＭ変調部２１３が出力するデータを、無線制御部２０４が出力する無線周波数にアップコンバートして、アンテナ２０５から基地局装置１００（図１）に上りリンクで送信する。
【００６０】
また、無線部２０１は、下りリンクについては、基地局装置１００からデータを受信して、ベースバンド信号にダウンコンバートしてチャネル推定部２２１とＯＦＤＭ復調部２２２とに出力する。
無線部２０１は、ＤＲＸサイクル値を所定時間Ｔ１だけ変更するか、所定時間Ｔ２だけ変更するかについての基地局装置１００での決定結果を、アンテナ２０５を介して、基地局装置１００から受信して、制御データ抽出部２２４を介して、ＤＲＸ制御部２０３１に出力する。
【００６１】
チャネル推定部２２１は、無線部２０１が出力する下りリンクパイロットチャネル（ＤＰＩＣＨ）を用いて無線伝搬路特性を推定し、推定結果をＯＦＤＭ復調部２２２に出力する。また、チャネル推定部２２１は、無線伝搬路推定結果をＣＱＩ情報に変換して、ＣＱＩ情報をデータ制御部２１１とスケジューリング部２０２に出力する。
なお、このＣＱＩ情報は、無線伝搬路推定結果を移動局装置２００から基地局装置１００に通知するために用いられる。
【００６２】
ＯＦＤＭ復調部２２２は、無線部２０１が出力する受信データに対して、サイクリック・プレフィックスの除去の処理、フィルタリングの処理、高速フーリエ変換（ＦＦＴ：Fast Fourier Transform）の処理などを行うことによりＯＦＤＭ信号処理を施し、チャネル推定部２２１からの無線伝搬路推定結果に基づいてＯＦＤＭ復調処理を行い、データ復調部２２３に出力する。
【００６３】
データ復調部２２３は、制御データ抽出部２２４が抽出した下りリンクのＭＣＳ情報に基づいて、受信データを復調し、制御データ抽出部２２４に出力する。
制御データ抽出部２２４は、受信データをユーザデータ（下りリンク共用データチャネル（ＰＤＳＣＨ））と制御データ（下りリンク共用制御チャネル（ＰＳＣＣＨ））とに分離し、上位レイヤに出力する。
また、制御データ抽出部２２４は、分離した制御データのうち下りリンクのＭＣＳ情報をデータ復調部２２３に出力し、上りリンクのＭＣＳ情報とスケジューリング情報とをスケジューリング部２０２に出力する。また、制御データ抽出部２２４は、基地局装置１００から通知されたＤＲＸサイクル値、ＤＲＸレベルをＤＲＸ制御部２０３１に出力する。
【００６４】
スケジューリング部２０２は、基地局装置１００から受信した上りリンクのＭＣＳ情報とスケジューリング情報とに基づいて、データ制御部２１１、データ変調部２１２、ＤＦＴ−Ｓ−ＯＦＤＭ変調部２１３に対してユーザデータと制御データとを物理チャネルにマッピングするための制御を行う。
【００６５】
無線リソース制御部２０３は、ＤＲＸ制御部２０３１を備えている。ＤＲＸ制御部２０３１は、移動局装置２００からＲＲＣシグナリング又はＭＡＣシグナリングを利用して通知されたＤＲＸサイクル値やＤＲＸレベルを設定・保存する。
また、無線リソース制御部２０３は、使用可能なＰＲＢ又はＰＲＵの情報なども管理し、これらの管理情報（ＤＲＸサイクル値、ＤＲＸレベルを含む）を送信部２１、受信部２２、スケジューリング部２０２、無線制御部２０４に出力して移動局装置２００全体の制御を行う。
【００６６】
なお、下りリンクパイロットチャネル（ＤＰＩＣＨ）は、ユーザデータや下りリンク制御情報、上りリンク制御情報の復調を行う際の伝搬路推定に用いる既知のパイロット信号などのデータを送信するチャネルである。この下りリンクパイロットチャネル（ＤＰＩＣＨ）は、セルサーチやハンドオーバを行う際の電力測定や、適応変調を行うためのＣＱＩ測定や、下りリンク共用制御チャネル（ＰＳＣＣＨ）及び下りリンク共用データチャネル（ＰＤＳＣＨ）を復調するための伝搬路推定に使用される。
下りリンク共用制御チャネル（ＰＳＣＣＨ）は、移動局装置識別情報（ＵＥＩＤ：User Equipment IDentity）、変調方式、誤り訂正方式、ＨＡＲＱ（Hybrid Automatic Repeat reQuest）に必要な情報、データ長などの下りリンク制御情報及び上りリンク制御情報などのデータを送信するチャネルである。
【００６７】
ここで、下りリンク共用制御チャネル（ＰＳＣＣＨ）の下りリンク制御情報には、ユーザデータの復調に必要な制御情報として、ＰＲＢの変調方式、データ長、移動局装置宛てのデータが配置されるＰＲＢの位置、ＨＡＲＱに必要な情報などが含まれ、上りリンク制御情報には、電力制御、移動局装置がデータを送信するＰＲＵの送信タイミング制御、ＰＲＵの位置、変調方式、データ長、移動局装置が送信したデータに対するＨＡＲＱのＡＣＫ／ＮＡＣＫ（ACKnowledgement / Negative ACKnowledgement）などの情報のうち少なくとも一部を含む。
【００６８】
下りリンク共用データチャネル（ＰＤＳＣＨ）は、ユーザのデータを送信するチャネルである。このユーザデータを復調する際には、下りリンク共用制御チャネル（ＰＳＣＣＨ）で送信される変調方式やデータ長の情報を用いる。
また、下りリンク共用制御チャネル（ＰＳＣＣＨ）を復調するためには、下りリンクパイロットチャネル（ＤＰＩＣＨ）のパイロット信号を用いて伝搬路推定を行う。なお、下りリンク共用データチャネル（ＰＤＳＣＨ）は複数の移動局装置で共用してもよい。
【００６９】
図７は、本発明の実施形態によるＤＲＸ制御部２０３１の構成を示す概略ブロック図である。このＤＲＸ制御部２０３１は、ＤＲＸサイクル値記憶部２０３２（受信時間間隔記憶部とも称する）、ＤＲＸサイクル値変更部２０３３（受信時間間隔変更部とも称する）を備えている。
ＤＲＸサイクル値記憶部２０３２は、メモリを備えており、基地局装置１００から移動局装置２００に送信される情報の受信時間間隔であるＤＲＸサイクル値を記憶する。
ＤＲＸサイクル値変更部２０３３は、受信部２２が受信した決定結果に基づいて、ＤＲＸサイクル値記憶部２０３２が記憶しているＤＲＸサイクル値を所定時間Ｔ１又は所定時間Ｔ２だけ変更する。
【００７０】
具体的には、ＤＲＸサイクル値変更部２０３３は、受信部２２が受信した決定結果に、ＤＲＸサイクル値を所定時間Ｔ１だけ増加させる制御情報が含まれていた場合には、ＤＲＸサイクル値記憶部２０３２が記憶しているＤＲＸサイクル値に、所定時間Ｔ１を加算して、加算後のＤＲＸサイクル値を、ＤＲＸサイクル値記憶部２０３２に記録する。
また、ＤＲＸサイクル値変更部２０３３は、受信部２２が受信した決定結果に、ＤＲＸサイクル値を所定時間Ｔ１だけ減少させる制御情報が含まれていた場合には、ＤＲＸサイクル値記憶部２０３２が記憶しているＤＲＸサイクル値から、所定時間Ｔ１を減算して、減算後のＤＲＸサイクル値を、ＤＲＸサイクル値記憶部２０３２に記録する。
【００７１】
また、ＤＲＸサイクル値変更部２０３３は、受信部２２が受信した決定結果に、ＤＲＸサイクル値を所定時間Ｔ２だけ増加させる制御情報が含まれていた場合には、ＤＲＸサイクル値記憶部２０３２が記憶しているＤＲＸサイクル値に、所定時間Ｔ２を加算して、加算後のＤＲＸサイクル値を、ＤＲＸサイクル値記憶部２０３２に記録する。
また、ＤＲＸサイクル値変更部２０３３は、受信部２２が受信した決定結果に、ＤＲＸサイクル値を所定時間Ｔ２だけ減少させる制御情報が含まれていた場合には、ＤＲＸサイクル値記憶部２０３２が記憶しているＤＲＸサイクル値から、所定時間Ｔ２を減算して、減算後のＤＲＸサイクル値を、ＤＲＸサイクル値記憶部２０３２に記録する。
なお、ＤＲＸサイクル値変更部２０３３は、受信部２２が受信した決定結果に、ＤＲＸサイクル値を所定時間Ｔ１あるいはＴ２に設定する制御情報が含まれていた場合には、ＤＲＸサイクル値記憶部２０３２が記憶しているＤＲＸサイクル値を、通知された所定時間Ｔ１あるいはＴ２を、ＤＲＸサイクル値記憶部２０３２に記録する。
【００７２】
図８は、本発明の実施形態による通信システムの処理の一例を説明するための図である。
図８の右側には、移動局装置２００と基地局装置１００との間で、ＲＲＣシグナリング又はＭＡＣシグナリングを利用して、ＤＲＸレベルの通知・ＤＲＸサイクル値の変更を行うための手順を示したシーケンス図を示している。また、このシーケンス図による処理が行われる場合に、移動局装置２００のＤＲＸサイクル値記憶部２０３２に記録されるＤＲＸサイクル値の変化を、図８の左側に示している。
【００７３】
始めに、ＤＲＸサイクル値が移動局装置２００のＤＲＸサイクル値記憶部２０３２に記録されていない場合、基地局装置１００に対してＤＲＸレベルの送信を要求するＤＲＸレベル通知要求を、移動局装置２００から基地局装置１００に送信する（ステップＳ１０１）。なお、移動局装置２００と基地局装置１００との間で、無線ベアラ確立手続き（Radio bearer setup）を行う際に、ステップＳ１０１の処理を行っても良い。
【００７４】
次に、ステップＳ１０１でＤＲＸレベル通知要求を受信した基地局装置１００は、移動局装置２００に対してＤＲＸレベルを、ＲＲＣシグナリングを利用して送信する（ステップＳ１０２）。ステップＳ１０２では、ＤＲＸレベルとして、レベル１、レベル２、レベル３、レベル４を基地局装置１００から移動局装置２００に対して送信している。ここで、レベル１はＤＲＸサイクル値が１００ミリ秒であることを示しており、レベル２はＤＲＸサイクル値が５００ミリ秒であることを示しており、レベル３はＤＲＸサイクル値が１秒であることを示しており、レベル４はＤＲＸサイクル値が３秒であることを示している。
なお、本実施形態では、ＤＲＸレベルとして、レベル１からレベル４の４段階を使用しているが、これに限定されるものではない。
【００７５】
ステップＳ１０２で送信されるＲＲＣシグナリングを受信した移動局装置２００は、そのＲＲＣシグナリングに含まれるＤＲＸレベルの情報をＤＲＸサイクル値記憶部２０３２に記録する。また、移動局装置２００は、ＤＲＸサイクル値として０ミリ秒をＤＲＸサイクル値記憶部２０３２に記録する。なお、基地局装置１００は、ステップＳ１０２で送信されるＲＲＣシグナリングを使って、移動局装置２００に対し、ＤＲＸレベルのいずれかのレベルにＤＲＸサイクル値を設定することを、移動局装置２００に通知しても良い。
【００７６】
また、本実施形態では、ステップＳ１０１で移動局装置２００から基地局装置１００にＤＲＸレベル通知要求を送信した後に、ステップＳ１０２でＲＲＣシグナリングを利用して基地局装置１００から移動局装置２００にＤＲＸレベルを送信している場合を示しているが、これに限定されるものではなく、ステップＳ１０１の処理を行わずに、基地局装置１００から移動局装置２００に定期的（例えば、１分毎）にＤＲＸレベルを送信するようにしても良い。
【００７７】
そして、基地局装置１００は移動局装置２００に、ＤＲＸサイクル値変更情報をＭＡＣシグナリングを用いて送信する（ステップＳ１０３）。ステップＳ１０３で送信するＤＲＸサイクル値変更情報には、「ＤＲＸサイクル値を１０ミリ秒増加させる」という情報が含まれている。このステップＳ１０３の処理は、図３のステップＳ１４の処理に基づいて行われる。
ステップＳ１０３でＤＲＸサイクル値変更情報を受信した移動局装置２００は、ＤＲＸサイクル値記憶部２０３２が記憶しているＤＲＸサイクル値を１０ミリ秒増加させることにより、ＤＲＸサイクル値を０ミリ秒から１０ミリ秒に変更する。
【００７８】
ステップＳ１０３の処理は、移動局装置２００に送信するＤＬデータの基地局装置１００への到着状況に応じて行われる。
【００７９】
そして、基地局装置１００は移動局装置２００に、ＤＲＸサイクル値変更情報をＭＡＣシグナリングを用いて送信する（ステップＳ１０４）。ステップＳ１０４で送信するＤＲＸサイクル値変更情報には、「ＤＲＸサイクル値を１０ミリ秒増加させる」という情報が含まれている。このステップＳ１０４の処理は、図３のステップＳ１４の処理に基づいて行われる。
ステップＳ１０４でＤＲＸサイクル値変更情報を受信した移動局装置２００は、ＤＲＸサイクル値記憶部２０３２が記憶しているＤＲＸサイクル値を１０ミリ秒増加させることにより、ＤＲＸサイクル値を１０ミリ秒から２０ミリ秒に変更する。
【００８０】
そして、基地局装置１００は移動局装置２００に、ＤＲＸレベル変更情報をＲＲＣシグナリングを用いて送信する（ステップＳ１０５）。ステップＳ１０５で送信するＤＲＸレベル変更情報には、「ＤＲＸレベルをレベル２にする」という情報が含まれている。このステップＳ１０５の処理は、図５のステップＳ２４の処理に基づいて行われる。
ステップＳ１０５でＤＲＸレベル変更情報を受信した移動局装置２００は、ＤＲＸサイクル値記憶部２０３２が記憶しているＤＲＸレベルをレベル２にすることにより、ＤＲＸサイクル値を２０ミリ秒から５００ミリ秒に変更する。
【００８１】
そして、基地局装置１００は移動局装置２００に、ＤＲＸサイクル値変更情報をＭＡＣシグナリングを用いて送信する（ステップＳ１０６）。ステップＳ１０６で送信するＤＲＸサイクル値変更情報には、「ＤＲＸサイクル値を１０ミリ秒増加させる」という情報が含まれている。このステップＳ１０６の処理は、図３のステップＳ１４の処理に基づいて行われる。
ステップＳ１０６でＤＲＸサイクル値変更情報を受信した移動局装置２００は、ＤＲＸサイクル値記憶部２０３２が記憶しているＤＲＸサイクル値を１０ミリ秒増加させることにより、ＤＲＸサイクル値を５００ミリ秒から５１０ミリ秒に変更する。
【００８２】
そして、基地局装置１００は移動局装置２００に、ＤＲＸサイクル値変更情報をＭＡＣシグナリングを用いて送信する（ステップＳ１０７）。ステップＳ１０７で送信するＤＲＸサイクル値変更情報には、「ＤＲＸサイクル値を１０ミリ秒増加させる」という情報が含まれている。このステップＳ１０７の処理は、図３のステップＳ１４の処理に基づいて行われる。
ステップＳ１０７でＤＲＸサイクル値変更情報を受信した移動局装置２００は、ＤＲＸサイクル値記憶部２０３２が記憶しているＤＲＸサイクル値を１０ミリ秒増加させることにより、ＤＲＸサイクル値を５１０ミリ秒から５２０ミリ秒に変更する。
【００８３】
そして、基地局装置１００は移動局装置２００に、ＤＲＸレベル変更情報をＲＲＣシグナリングを用いて送信する（ステップＳ１０８）。ステップＳ１０８で送信するＤＲＸレベル変更情報には、「ＤＲＸレベルを２０ミリ秒にする」という情報が含まれている。このステップＳ１０８の処理は、図５のステップＳ２６の処理に基づいて行われる。
ステップＳ１０８でＤＲＸレベル変更情報を受信した移動局装置２００は、ＤＲＸサイクル値記憶部２０３２が記憶しているＤＲＸサイクル値を２０ミリ秒にすることにより、ＤＲＸサイクル値を５２０ミリ秒から２０ミリ秒に変更する。
【００８４】
そして、基地局装置１００は移動局装置２００に、ＤＲＸサイクル値変更情報をＭＡＣシグナリングを用いて送信する（ステップＳ１０９）。ステップＳ１０９で送信するＤＲＸサイクル値変更情報には、「ＤＲＸサイクル値を１０ミリ秒減少させる」という情報が含まれている。このステップＳ１０９の処理は、図３のステップＳ１６の処理に基づいて行われる。
ステップＳ１０９でＤＲＸサイクル値変更情報を受信した移動局装置２００は、ＤＲＸサイクル値記憶部２０３２が記憶しているＤＲＸサイクル値を１０ミリ秒減少させることにより、ＤＲＸサイクル値を２０ミリ秒から１０ミリ秒に変更する。
【００８５】
そして、基地局装置１００は移動局装置２００に、ＤＲＸサイクル値変更情報をＭＡＣシグナリングを用いて送信する（ステップＳ１１０）。ステップＳ１１０で送信するＤＲＸサイクル値変更情報には、「ＤＲＸサイクル値を１０ミリ秒増加させる」という情報が含まれている。このステップＳ１１０の処理は、図３のステップＳ１４の処理に基づいて行われる。
ステップＳ１１０でＤＲＸサイクル値変更情報を受信した移動局装置２００は、ＤＲＸサイクル値記憶部２０３２が記憶しているＤＲＸサイクル値を１０ミリ秒増加させることにより、ＤＲＸサイクル値を１０ミリ秒から２０ミリ秒に変更する。
【００８６】
そして、基地局装置１００は移動局装置２００に、ＤＲＸレベル変更情報をＲＲＣシグナリングを用いて送信する（ステップＳ１１１）。ステップＳ１１１で送信するＤＲＸレベル変更情報には、「ＤＲＸレベルをレベル２にする」という情報が含まれている。このステップＳ１１１の処理は、図５のステップＳ２４の処理に基づいて行われる。
ステップＳ１１１でＤＲＸレベル変更情報を受信した移動局装置２００は、ＤＲＸサイクル値記憶部２０３２が記憶しているＤＲＸサイクル値をレベル２にすることにより、ＤＲＸサイクル値を２０ミリ秒から５００ミリ秒に変更する。
【００８７】
なお、ＲＲＣシグナリングあるいはＭＡＣシグナリングにより、ＤＲＸサイクル値の変更を基地局装置１００が移動局装置２００に指示する場合、基地局装置１００は移動局装置２００がどのＤＲＸサイクル値であるかを認識している。
基地局装置１００の第１の変更決定部１０９５（図２）や第２の変更決定部１１０５（図４）により変更されたＤＲＸサイクル値は、スケジューリング部１０９が備えるメモリ（図示省略）に記録され、そのメモリに記録されているＤＲＸサイクル値に基づいて、スケジューリング部１０９は、時間方向のスケジューリングを行い、制御信号やデータ信号を基地局装置１００から移動局装置２００に送信する。
【００８８】
なお、本実施形態では、移動局装置２００宛てのＤＬデータが一定期間、基地局装置１００に到着しなかったときに、ステップＳ１０３、Ｓ１０４、Ｓ１０６、Ｓ１０７、Ｓ１１０の処理を行い、移動局装置２００宛てのＤＬデータが基地局装置１００に到着した場合にＳ１０９の処理を行っているが、これら処理は、移動局装置２００において利用されるＶｏＩＰ（Voice over IP）の有音モード（talkspurtモード）と無音モード（silentモード）とが切り替わった場合や、コーデック（COder-DECoder）を変更した場合などに行っても良い。
【００８９】
上述したように、本発明の実施形態による通信システムでは、移動局装置２００と基地局装置１００とのＤＬデータが一定時間内に到着した場合や通信量が多くなった場合には、基地局装置１００が移動局装置２００にＤＲＸサイクル値を所定時間Ｔ１だけ減少させることを変更結果として送信することにより、基地局装置１００から送信される信号の移動局装置２００における受信頻度を小幅に増加させることができる。
また、移動局装置２００と基地局装置１００とのＤＬデータが一定時間内に到着していない場合や通信量が少なくなった場合には、基地局装置１００が移動局装置２００にＤＲＸサイクル値を所定時間Ｔ１だけ増加させることを変更結果として送信することにより、基地局装置１００から送信される信号の移動局装置２００における受信頻度を小幅に減少させることができる。
【００９０】
また、本発明の実施形態による通信システムでは、移動局装置２００と基地局装置１００とのＤＬデータが一定時間内に到着した場合や通信量が多くなった場合には、基地局装置１００が移動局装置２００にＤＲＸレベルを２０ミリ秒とすることを変更結果として送信することにより、基地局装置１００から送信される信号の移動局装置２００における受信頻度を大幅に増加させることができる。
また、移動局装置２００と基地局装置１００とのＤＬデータが一定時間内に到着していない場合や通信量が少なくなった場合には、基地局装置１００が移動局装置２００にＤＲＸレベルをレベル２とすることを変更結果として送信することにより、基地局装置１００から送信される信号の移動局装置２００における受信頻度を大幅に減少させることができる。
【００９１】
なお、上述した実施形態において、基地局装置１００から移動局装置２００に送信するＭＡＣシグナリングあるいはＲＲＣシグナリングに含まれるＤＲＸサイクル値を増加・減少させる情報としては、ＤＲＸサイクル値そのものでも良いし、前回のＤＲＸレベルあるいはＤＲＸサイクル値からの差分（すなわち増減分）でも良い。
例えば、このＭＡＣシグナリングの後、ＤＲＸサイクル値を２０ミリ秒にしたい場合、前者では２０ミリ秒という絶対値そのものを通知することとなり、後者では＋２０ミリ秒という値を通知する。後者の場合、ＤＲＸサイクル値が０ミリ秒に設定されているとすると、０＋２０=２０ミリ秒という演算を移動局装置２００で行うことによりＤＲＸサイクル値が設定される。
【００９２】
また、基地局装置１００から移動局装置２００にＤＲＸサイクル値の変更結果を送信する際、例えば、１０ミリ秒単位でＤＲＸサイクル値を制御する場合には、この１０ミリ秒という値を予め基地局装置１００と移動局装置２００との間で設定しておき、「２」という値だけを基地局装置１００から移動局装置２００に送信するようにしても良い。例えば、ＤＲＸサイクル値を０ミリ秒から２０ミリ秒に設定する場合、基地局装置１００から移動局装置２００に「２」という値を変更結果として送信する。この変更結果を受信した移動局装置２００は、受信した「２」という値を１０倍した２０ミリ秒と、ＤＲＸサイクル値記憶部２０３２に記録されているＤＲＸサイクル値（例えば、０ミリ秒）とを加算してＤＲＸサイクル値を２０ミリ秒に設定する。
また、Ｔ１、Ｔ２の変動幅については、基地局装置１００が適応的に変更するようにしても良い。例えば、Ｓ１１において、所定時間ｔ０の設定に加えて、Ｔ１の再設定を行っても良い。また、Ｓ２１において、所定時間ｔ２の設定に加え、Ｔ２の再設定を行っても良い。
【００９３】
なお、基地局装置１００がＭＡＣシグナリングあるいはＲＲＣシグナリングを移動局装置２００に送信するタイミングとしては、移動局装置２００がそれらのシグナリングをｏｎ  ｄｕｒａｔｉｏｎ中に受信できるようなタイミングが用いられる。
すなわち、ｏｎ  ｄｕｒａｔｉｏｎに関しても、基地局装置１００ではスケジューリング部１０９が備えるメモリ（図示省略）に記録しており、移動局装置２００ではＤＲＸサイクル値記憶部２０３２が備えるメモリ記憶している。
【００９４】
なお、移動局装置２００は、ＤＲＸサイクル値記憶部２０３２が記憶しているＤＲＸサイクル値が経過する度に、基地局装置１００から自移動局装置２００に送信されるＤＬデータを確認した場合に、自移動局装置２００宛てのＤＬデータがなかったときにはＤＲＸサイクル値で基地局装置１００から自移動局装置２００に送信されるＤＬデータの確認をＤＲＸサイクル値が経過する度にｏｎ  ｄｕｒａｔｉｏｎの期間行い、自移動局装置２００宛てのＤＬデータがあったときには基地局装置１００との通信を開始するようにしても良い。
つまり、ＤＲＸ状態にある移動局装置２００は、ｏｎ  ｄｕｒａｔｉｏｎ中に自移動局装置２００に対するＤＬデータの割り当てが行われていない場合にはＤＲＸ状態を継続し、ｏｎ  ｄｕｒａｔｉｏｎ中に自移動局装置２００に対するＤＬデータの割り当てが行われている場合にはｎｏｎ−ＤＲＸに状態遷移しても良い。
【００９５】
ｎｏｎ−ＤＲＸ状態にある移動局装置２００は、ＭＡＣシグナリング（ＭＡＣヘッダあるいはＭＡＣ制御メッセージ）によって、ＤＲＸに状態遷移することを許可（通知）されると、ＤＲＸに状態遷移することができる。この場合、ＤＲＸ中に使用するＤＲＸサイクル値は、そのＭＡＣシグナリングによって通知される。移動局装置２００は、通知されたＤＲＸサイクル値を設定する。
また、ｎｏｎ−ＤＲＸ状態にある移動局装置２００は、一定期間、自局に対するＤＬデータの割り当てが行われていない場合、ＤＲＸに状態遷移することができる。この場合、ＭＡＣシグナリングを送信することはない。その代わり、ＤＲＸ中に使用するＤＲＸサイクル値については、事前に基地局装置１００が決定したＤＲＸサイクル値を、ＲＲＣシグナリングによって通知しておく。このＲＲＣシグナリングは、無線ベアラ確立手続き（Radio bearer setup）時に通知して良い。移動局装置２００は、ＲＲＣシグナリングによって事前に通知されたＤＲＸサイクル値を設定する。
【００９６】
なお、上述した実施形態において、基地局装置１００は、到着したＤＬデータの種類に応じて、ＤＲＸサイクル値として適したある固定値に設定するようにしても良い。例えば、基地局装置１００に到着したＤＬデータがＶｏＩＰである場合、ＤＲＸサイクル値を２０ミリ秒に設定するようにしても良い。また、ＶｏＩＰにおける、有音モードから無音モードへとモードが切り替わった場合や、コーデック（codec）を変更した場合や、ＤＬデータの種類が変更した場合（例えば、ＶｏＩＰからＷｅｂに変更した場合）など、基地局装置１００は、そのときどきにおけるＤＬデータの状況に応じて、適切にＤＲＸサイクル値を変更するようにしても良い。
【００９７】
なお、以上説明した実施形態において、図１の基地局装置１００や図６の移動局装置２００の各部又はこれらの機能の一部を実現するためのプログラムをコンピュータ読み取り可能な記録媒体に記録して、この記録媒体に記録されたプログラムをコンピュータシステムに読み込ませ、実行することにより基地局装置１００や移動局装置２００の制御を行っても良い。なお、ここでいう「コンピュータシステム」とは、ＯＳや周辺機器等のハードウェアを含むものとする。
【００９８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９９】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０１００】
【図１】本発明の実施形態による基地局装置１００の構成を示す概略ブロック図である。
【図２】本発明の実施形態によるＭＡＣレベルＤＲＸ制御部１０９１の構成を示す概略ブロック図である。
【図３】本発明の実施形態による基地局装置１００のＭＡＣレベルＤＲＸ制御部１０９１の処理を示すフローチャートである。
【図４】本発明の実施形態によるＲＲＣレベルＤＲＸ制御部１１０１の構成を示す概略ブロック図である。
【図５】本発明の実施形態による基地局装置１００のＲＲＣレベルＤＲＸ制御部１１０１の処理を示すフローチャートである。
【図６】本発明の実施形態による移動局装置２００の構成を示す概略ブロック図である。
【図７】本発明の実施形態によるＤＲＸ制御部２０３１の構成を示す概略ブロック図である。
【図８】本発明の実施形態による通信システムの処理の一例を説明するための図である。
【図９】非特許文献１に記載されている技術について説明するための図である。
【符号の説明】
【０１０１】
２１・・・送信部、２２・・・受信部、１００・・・基地局装置、１０１・・・データ制御部、１０２・・・データ変調部、１０３・・・ＯＦＤＭ変調部、１０４・・・無線部、１０５・・・チャネル推定部、１０６・・・ＤＦＴ−Ｓ−ＯＦＤＭ復調部、１０７・・・データ復調部、１０８・・・制御データ抽出部、１０９・・・スケジューリング部、１１０・・・無線リソース制御部、１１１・・・アンテナ、１０９１・・・ＭＡＣレベルＤＲＸ制御部、１１０１・・・ＲＲＣレベルＤＲＸ制御部、２００・・・移動局装置、２０１・・・無線部、２０２・・・スケジューリング部、２０３・・・無線リソース制御部、２０４・・・無線制御部、２０５・・・アンテナ、２１１・・・データ制御部、２１２・・・データ変調部、２１３・・・ＤＦＴ−Ｓ−ＯＦＤＭ変調部、２２１・・・チャネル推定部、２２２・・・ＯＦＤＭ復調部、２２３・・・データ復調部、２２４・・・制御データ抽出部、２０３１・・・ＤＲＸ制御部
【図１】
2008306267.tif 000003
【図２】
2008306267.tif 000004
【図３】
2008306267.tif 000005
【図４】
2008306267.tif 000006
【図５】
2008306267.tif 000007
【図６】
2008306267.tif 000008
【図７】
2008306267.tif 000009
【図８】
2008306267.tif 000010
【図９】
2008306267.tif 000011